(57)【特許請求の範囲】
【請求項１】
本体ケース内に燃焼部と送風部を備え、前記本体ケースは天板部と底板部と断面コ字状の側板部と前板部とで箱状に形成された温風暖房機において、
前記側板部の下端部は内方側へ折り曲げられたフランジ部を有し、
前記フランジ部の先端近傍部の少なくとも一部は上方に突出した凸部を備え、
前記フランジ部の前記凸部の近傍部が前記底板部にビス固定されていることを特徴とする温風暖房機。
【請求項２】
前記凸部は、前記フランジ部の先端近傍部から上方へ延びる縦板部と、この縦板部の上端から水平に延びる水平板部とを有し、前記水平板部を前記底板部の上面に固定するためのビス穴が前記水平板部に形成されていることを特徴とする請求項１に記載の温風暖房機。
【請求項３】
前記底板部の外周部分には、前記側板部が載置される載置部であって、その他の部分よりも段落ちした上面を有する載置部が形成されていることを特徴とする請求項２に記載の温風暖房機。
【発明の詳細な説明】
【技術分野】
【０００１】
本発明は、温風暖房機に関し、特に本体ケースの側板部の下端のフランジ部を底板部に固定する構造を改良したものに関する。
【背景技術】
【０００２】
温風暖房機は、本体ケース内に燃焼部と送風部を有し、前記本体ケースは天板部と底板部と断面コ字状の側板部と前板部とで箱状に形成されている。
前記側板部は、通常、左側板部と後側板部と右側板部とで断面コ字状に形成され、底板部は鋼板製又は合成樹脂製のものである。
【０００３】
図８は、本願出願人が採用している温風暖房機の本体ケースの側板部１００を底板部１０２に固定する構造を示す図であり、側板部１００は、左側板部１００ａと後側板部１００ｂと右側板部（図示略）とを有する。
【０００４】
側板部１００の下端部には、内方へ直角に折り曲げたフランジ部１０１が形成され、このフランジ部１０１を底板部１０２の上面に載置した状態に組み付け、フランジ部１０１の複数のビス穴１０３に上方から挿通させたビス１０４を底板部１０２の複数のビス穴１０５に螺合することで、フランジ部１０１が底板部１０２に固定される。合成樹脂製の底板部１０２は、ビス１０４の挿入代を確保するため厚く形成されている。
【０００５】
特許文献１の温風暖房機では、バーナ部を収容する連結ケースの上側を上部遮熱板と上面板とで覆い、連結ケース押え材の先端部を上部遮熱板の端部に係合させると共に、上面板の折り曲げ部の下端を前記先端部の上面に当接させ、上面板を前記先端部で支える構造が採用されている。
【０００６】
特許文献２のファンヒーター装置では、筒状の外周ケースの下端部を、底板部の外周溝に上方から係合させて外周ケースと底板部とを結合する構造が採用されている。
【先行技術文献】
【特許文献】
【０００７】
【特許文献１】特開２０１４−１０２０２９号公報
【特許文献２】実用新案登録第３２０００５７号公報
【発明の概要】
【発明が解決しようとする課題】
【０００８】
図８に示す側板部１００は、薄鋼板製のプレス成形品で成形時の歪み（スプリングバック等）もあるため、各部の寸法精度にバラツキがある。そのため、側板部１００の下端部のフランジ部１０１のビス穴１０３を底板部１０２のビス穴１０５に位置合せしてビス１０４で締結する場合、片手で側板部１００の外面側を内方へ押えながら、上下のビス穴１０３，１０５を位置合せしてビス締結しなければならない。
【０００９】
特に、右手で右側板部の外面側を内方へ押しながら左手でビス締結することは困難であるため、側板部１００と底板部１０２を半回転させ、左手で右側板部の外面側を内方へ押えながら後側板部１００ｂへの上方から右手を延ばして右手でビス締結することになる。
【００１０】
このように、従来の側板部１００のフランジ部１０１の構造では、フランジ部１０１を側板部１００の内側から内方へ引き寄せることができないため、２つのビス穴１０３，１０５を位置合せする作業が難しく、作業能率が低くなる。しかも、ビス１０４の挿入代を確保するため底板部１０２の厚さも厚くなり、側板部１００の下側に厚い底板部１０２が見えるため、温風暖房機の外観の意匠性を高めることも困難であった。
【００１１】
特許文献１，２の構造は、特殊な構造であり、通常の箱状の本体ケースを有する温風暖房機には採用することが難しい。
本発明の目的は、側板部の下端部のフランジ部を底板部にビス締結する際に、前記フランジ部のビス穴を側板部の内側から位置調節可能にした温風暖房機を提供する。
【課題を解決するための手段】
【００１２】
請求項１の温風暖房機は、本体ケース内に燃焼部と送風部を備え、前記本体ケースは天板部と底板部と断面コ字状の側板部と前板部とで箱状に形成された温風暖房機において、
前記側板部の下端部は内方側へ折り曲げられたフランジ部を有し、前記フランジ部の先端近傍部の少なくとも一部は上方に突出した凸部を備え、前記フランジ部の前記凸部の近傍部が前記底板部にビス固定されていることを特徴としている。
【００１３】
請求項２の温風暖房機は、請求項１の発明において、前記凸部は、前記フランジ部の先端近傍部から上方へ延びる縦板部と、この縦板部の上端から水平に延びる水平板部とを有し、前記水平板部を前記底板部の上面に固定するためのビス穴が前記水平板部に形成されていることを特徴としている。
【００１４】
請求項３の温風暖房機は、請求項２の発明において、前記底板部の外周部分には、前記側板部が載置される載置部であって、その他の部分よりも段落ちした上面を有する載置部が形成されていることを特徴としている。
【発明の効果】
【００１５】
請求項１の発明によれば、側板部の下端部は内方側へ折り曲げられたフランジ部を有し、前記フランジ部の先端近傍部の少なくとも一部は上方に突出した凸部を備え、前記フランジ部の前記凸部の近傍部が底板部にビス固定されるため、凸部のビス穴と底板部のビス穴を位置合せする際に、側板部の内側から凸部を内方へ引き付けることができるため、ビス穴の位置合せが容易になり、フランジ部を底板部にビス締結する作業を容易に短時間で行うことができる。
【００１６】
請求項２の発明によれば、前記凸部は、前記フランジ部の先端近傍部から上方へ延びる縦板部と、この縦板部の上端から水平に延びる水平板部とを有し、前記水平板部を前記底板部の上面に固定するためのビス穴が前記水平板部に形成されているため、側板部の内側から縦板部に指を掛けてビス穴の位置合せを容易に行うことができる。
【００１７】
請求項３の発明によれば、前記底板部の外周部分には、前記側板部が載置される載置部であって、その他の部分よりも段落ちした上面を有する載置部が形成されているため、フランジ部を底板部に固定するビスの挿入代を確保しながら、側板部の下端を段落ちした上面を有する載置部に載置することで、外観に表れる底板部の厚みが小さくなるため、温風暖房機の外観の意匠性を高めることができる。
【図面の簡単な説明】
【００１８】
【図１】本発明の実施例１に係る温風暖房機の斜視図である。
【図２】本体ケースの側板部を底板部に組み付けた状態を示す斜視図である。
【図３】側板部の斜視図である。
【図４】底板部の斜視図である。
【図５】側板部の要部と底板部の要部の分解斜視図である。
【図６】側板部を底板部に組み付けた状態の要部の斜視図である。
【図７】実施例２に係る側板部を底板部に組み付ける状態の要部の斜視図である。
【図８】従来技術に係る側板部の要部と底板部の要部の分解斜視図である。
【発明を実施するための形態】
【００１９】
以下、本発明を実施するための形態について実施例に基づいて説明する。
【実施例１】
【００２０】
図１に示すように、温風暖房機１は、本体ケース２と、この本体ケース２の内部に設けられた送風ファン（図示略）と、燃焼部（図示略）等を有するものである。
本体ケース２は、薄鋼板製のもので、天板部２Ａと、底板部３と、側板部４と、前板部２Ｂとで箱状に形成されている。
【００２１】
図２〜図６に示すように、側板部４は、左側板部４ａと後側板部４ｂと右側板部４ｃとで断面コ字状に形成されている。側板部４の下端部には内方側へ直角に折り曲げられたフランジ部５が形成されている。天板部２Ａには操作部１１( 図１参照）が設けられている。後側板部４ｂには空気導入口１２が形成され、前板部２Ｂには温風吹き出し口１３（図１参照）が形成されている。
【００２２】
左側板部４ａの下端部のフランジ部５ａの先端近傍部には１つの上方に突出した凸部６ａが形成され、後側板部４ｂの下端部のフランジ部５ｂの先端近傍部には左右１対の上方に突出した凸部６ｂが形成され、右側板部４ｃの下端部のフランジ部５ｃの先端近傍部には１つの上方に突出した凸部（図示略）が形成されている。
【００２３】
各凸部６は、フランジ部５の先端近傍部から上方へ延びる縦板部７ａと、この縦板部７ａの上端から水平に内方へ延びる水平板部７ｂとを有し、この水平板部７ｂを底板部３の上面に固定するためのビス穴８が水平板部７ｂに形成されている。尚、縦板部７ａはフランジ部５の長さ方向と平行である。尚、縦板部７ａは上方ほど底板部本体３ｂに接近するように鉛直面に対して僅かに傾斜している。それ故、凸部６及び底板部本体部３ｂの製作寸法誤差の許容範囲が広くなるため、それらの製作上有利である。
【００２４】
底板部３は合成樹脂製のものであり、底板部３の外周部分には側板部４が載置される載置部３ａが形成され、底板部３のうちの載置部３ａの内側部分には底板部本体３ｂが形成されている。載置部３ａは、その他の部分（底板部本体３ｂ）の上面よりも段落ちした水平な上面を有する。
【００２５】
前記載置部３ａの幅は側板部４のフランジ部５を載置可能な幅に設定されている。
前記載置部３ａの上面から底板部本体３ｂの上面までの段差高さは、前記凸部６の縦板部７ａの高さと略等しく設定されており、側板部４のフランジ部５を載置部３ａの上面に載置したとき、凸部６の水平板部７ｂが底板部本体３ｂの上面に当接するように形成されている。
【００２６】
底板部本体３ｂの外周部分には、前記複数の凸部６の水平板部７ｂに形成した複数のビス穴８に対応する複数のビス穴９が形成されており、複数のビス穴８を複数のビス穴９に夫々位置合わせして、複数のビス穴８に夫々挿通させた複数のビス１０を複数のビス穴９に螺合させることで、フランジ部５の複数の凸部６が底板部３に複数のビス１０で固定される。
【００２７】
以上説明した底板部への側板部の固定構造の作用、効果について説明する。
底板部３に側板部４を組み付ける際には、上方から側板部４を底板部３へ接近させ、側板部４のフランジ部５を底板部３の載置部３ａの上に載置し、各対のビス穴８とビス穴９を位置合せするとき、側板部４の内側において、左手の指で凸部６の縦板部７ａの位置を調節することで、ビス穴８とビス穴９を位置合せし、上方からビス穴８に挿通させたビス１０をビス穴９に螺合させてフランジ部５を底板部本体３ｂに固定する。
【００２８】
このように、側板部４の内側からビス穴８の位置を容易に調節することができるため、
ビス穴８，９の位置合せが容易になり、フランジ部５を底板部３にビス締結する作業を容易に短時間で行うことができる。
【００２９】
前記側板部４は、左側板部４ａと後側板部４ｂと右側板部４ｃとで断面コ字状に形成されているため、側板部４の部材数が少なく、側板部４を底板部３に組み付ける作業を能率的に行うことができる。
【００３０】
底板部３の外周部分には、側板部４が載置される載置部３ａであって、その他の部分よりも段落ちした上面を有する載置部３ａが形成されているため、フランジ部５を底板部３に固定するビス１０の挿入代を確保しながら、側板部４の下端を段落ちした上面を有する載置部３ａに載置することで、外観に表れる底板部３の厚みが小さくなるため、温風暖房機１の外観の意匠性を高めることができる。
【実施例２】
【００３１】
この実施例に係る温風暖房機について図７に基づいて説明する。
この温風暖房機は、基本的に実施例１の温風暖房機と同じ構造を有するが、側板部４のフランジ部５Ａ、凸部１４等が変更されているため、異なる構造についてのみ説明し、同じ構造についての説明は省略する。
【００３２】
側板部４の下端のフランジ部５Ａには複数のビス穴８Ａが形成され、各ビス穴８Ａの近傍部においてフランジ部５Ａの先端部には直角に折り曲げて上方へ突出させた凸部１４が形成されている。底板部３Ａにおいては、実施例１の載置部３ａが省略され、底板部３Ａの外周部分には、フランジ部５Ａの複数のビス穴８Ａに対応する複数のビス穴９が形成されている。
【００３３】
側板部４を底板部３Ａの上面に取り付ける際には、フランジ部５Ａを底板部３Ａの外周部分に載置し、各ビス穴８Ａに挿通させたビス１０を底板部３Ａのビス穴９に螺合することで固定する。このとき、ビス穴８Ａをビス穴９に位置合せする際には、凸部１４を指で内側へ引き付けることで簡単に位置合せしてビス固定することができる。
【００３４】
このように、側板部４の内側からビス穴８Ａの位置を容易に調節することができるため、ビス穴８Ａ，９の位置合せが容易になり、フランジ部５Ａを底板部３にビス締結する作業を容易に短時間で行うことができる。
【００３５】
前記実施例を部分的に変更する例について説明する。
１）側板部４のフランジ５ａ，５ｂ，５ｃに夫々形成する凸部６の数は、前記実施例の数に限定されるものではない。
２）前記実施例では合成樹脂製の底板部３を例として説明したが、底板部３は薄鋼板製のものでもよい。また、側板部４は薄鋼板製のものを例として説明したが、合成樹脂製の側板部であってもよい。
３）その他、当業者であれば本発明の趣旨を逸脱することなく、前記実施例に種々の変更を付加した形態で実施可能であり、本発明はその種の変更形態を包含するものである。
【符号の説明】
【００３６】
１      温風暖房機
２      本体ケース
３，３Ａ  底板部
３ａ    載置部
４      側板部
４ａ    左側板部
４ｂ    後側板部
５，５ａ，５ｂ，５ｃ，５Ａ  フランジ部
６，６ａ，６ｂ，１４    凸部
７ａ    縦板部
７ｂ    水平板部
【図１】
0006684443.tif 000002
【図２】
0006684443.tif 000003
【図３】
0006684443.tif 000004
【図４】
0006684443.tif 000005
【図５】
0006684443.tif 000006
【図６】
0006684443.tif 000007
【図７】
0006684443.tif 000008
【図８】
0006684443.tif 000009